(57)【要約】【課題】本発明の第１の目的は、自動的に供給されるメダル収納容器を所定の位置に案内・保持することを目的とする。本発明の第２の目的は、自動的に供給されるメダル収納容器を案内・保持する装置によって幼児が怪我をしないようにすることを目的とする。本発明の第３の目的は、自動的に供給されるメダル収納容器を所定の位置に案内・保持する装置を小型にすることを目的とする。【解決手段】払い出し信号に基づいてメダルを収納するバケット型容器を一個ずつ下方の払出部に落下させる容器供給装置、前記払出部に供給された前記容器に前記メダルを払い出すメダル払出装置、前記払出部に落下する容器をはさんで向かい合わせに容器と接する凹状の保持面を有し、かつ、互いに近づく方向に付勢される一対のホルダを配置したメダル貸出装置である。【選択図】図６
2004329509.tif 000002
【特許請求の範囲】
【請求項１】
払い出し信号に基づいてメダルを収納するバケット型容器（２０）を一個ずつ下方の払出部（２４）に落下させる容器供給装置（２２）、前記払出部（２４）に供給された前記容器（２０）に前記メダルを払い出すメダル払出装置（１８）、前記払出部（２４）に落下する容器（２０）をはさんで向かい合わせに前記容器（２０）と接する凹状の保持面（８０Ｌ、８０Ｒ）を有し、かつ、互いに近づく方向に付勢される一対のホルダ（６８Ｌ、６８Ｒ）を配置したメダル貸出装置。
【請求項２】
前記ホルダ（６８Ｌ、６８Ｒ）が保持面（８０Ｌ、８０Ｒ）の両端部に位置する矯正部（７６Ｌ、７６Ｒ、７８Ｌ、７８Ｒ）、前記矯正部（７６Ｌ、７６Ｒ、７８Ｌ、７８Ｒ）及び前記保持面（８０Ｌ、８０Ｒ）から外方及び上方へ向かって伸びる案内面（８２Ｌ、８２Ｒ）を形成した請求項１のメダル貸出装置。
【請求項３】
前記払出部（２４）が側壁の一面を解放して取出口（４６）を形成し、かつ、他の三面が側壁（５０、５４、５２）で囲まれたボックス状であり、前記取出口（４６）に続く両側壁にホルダ開口（６０、６２）がそれぞれ開口され、前記ホルダ開口（６０、６２）から払出部（２４）に向けてホルダ（６８Ｌ、６８Ｒ）がそれぞれ突出配置されている請求項２のメダル貸出装置。
【請求項４】
さらに、払出部（２４）の容器（２０）の有無を検出する容器検出装置（１０４）、前記容器検出装置（１０４）の容器有り信号（Ｎ）に基づいて前記メダル払出装置（１８）を起動する払出指示装置（１１２）、前記メダル払出装置（１８）からの払い出し数をカウントするカウンタ（１０６）、前記カウンタ（１０６）が所定量のメダルを検出したとき、払出装置（１８）の停止信号（Ｓ）を出力する停止装置（１１０）、を有する請求項１のメダル貸出装置。
【発明の詳細な説明】
【０００１】
【発明が属する技術分野】
本発明は、受け入れた価値媒体に基づいて所定数のメダルを貸し出すメダル貸出装置に関する。
特に、払い出したメダルを容器に収納して貸し出すメダル貸出装置に関する。
なお、本明細書で使用する「メダル」は、ゲーム機用のメダル、トークン、代用コイン等の遊技媒体の総称である。
以下、ゲーム機のメダル貸出装置を例として説明する。
【０００２】
【従来の技術】
メダルの収納容器を自動的に払出部に自由落下させ、その容器に投入金額に対応する所定数のメダルを自動的に払い出して貸し出す装置が知られている（例えば、特許文献１参照、）。
また、カップ式飲料自動販売機において、飲料を入れる容器を所定の位置に案内するため、一対の樋形のシュートを用いることが知られている（例えば、特許文献２参照。）。
【０００３】
【特許文献１】
特許第２８６０８１８号（第２頁、第１―２図）
【特許文献２】
特公昭５８−４６７５５号（第２―３頁、第１―２図）
【０００４】
【発明が解決しようとする課題】
特許文献１の技術において、メダルを収納する容器は自動的に払出部に自由落下される。
この場合、容器が払出部の底に当接した反動によって、跳ね飛んで最終的な落下位置が一定しないため、払い出されたメダルが容器に収納されないことがある。
【０００５】
特許文献２において、一対のシュートによって下すぼまりのガイドを構成し、落下する容器がこれらシュートに案内されて所定の位置に達する。
その位置で容器に所定量の飲料を供給した後、購入者が容器の下部を掴んで引き出すことにより、弾性的に付勢されているシュートを容器上部で移動させて取り出すものである。
前記シュートは、衛生等の観点からステンレスの薄板材の組み合わせにより構成される。
【０００６】
特許文献１における問題を解消するため、ゲーム機のメダル貸出装置に特許文献２に開示されるシュートを装着することが考えられる。
この構成において、メダルが容器からこぼれた場合、シュートよりも奥に位置することがある。
この場合、シュートと払出部の壁面との間に手や指を押し込まなければメダルを取り出すことができない。
このため、シュートエッジに手や指が強く押し付けられることがあるため、シュートのエッジに丸みを持たせたとしても、利用者が怪我をする懸念がある。
【０００７】
また、ゲーム場におけるメダル貸出装置は補助的装置であるため、その小型化が求められる。
さらに、容器を自動的に補給する場合、補給作業を減らすため容器のストック量を多くすることが求められる。
そのため、容器供給部からメダル払出部間の可及的に短い経路で容器を所定の位置に案内し、かつ、姿勢を安定保持することが求められる。
しかし、特許文献２に開示される技術は比較的に長いシュートによって案内されるので、メダル貸出装置の高さが高くなってしまうものであった。
【０００８】
本発明の第１の目的は、自動的に供給されるメダル収納容器を所定の位置に案内・保持することを目的とする。
本発明の第２の目的は、自動的に供給されるメダル収納容器を案内・保持する装置によって利用者が怪我をしないようにすることを目的とする。
本発明の第３の目的は、自動的に供給されるメダル収納容器を所定の位置に案内・保持する装置を小型にすることを目的とする。
【０００９】
【課題を解決するための手段】
この目的を達成するため、本発明にかかるメダル貸出装置は以下のように構成されている。
払い出し信号に基づいてメダルを収納するバケット型容器を一個ずつ下方の払出部に落下させる容器供給装置、前記払出部に供給された前記容器に前記メダルを払い出すメダル払出装置、前記払出部に落下する容器をはさんで向かい合わせに容器と接する凹状の保持面を有し、かつ、互いに近づく方向に付勢される一対のホルダを配置したメダル貸出装置である。
【００１０】
この構成において、積み上げられたバケット型容器のうち最下の容器が容器供給装置によって、落下される。
落下した容器は、一対のホルダの凹状の保持面間に落下し、払出部の底に達する前に保持面に当接する。
保持面、したがってホルダは、弾性的に後退し、容器の落下エネルギーを吸収する。
換言すれば、容器が払出部の底に当接する際の衝撃が緩和される。
【００１１】
また、容器を一対のホルダで両サイドから挟むので容器の落下位置がずれていても、両側から凹状の保持面に案内されるので、容器は両保持面に対して一定の位置に案内される。
換言すれば、保持面は弾性的に移動可能であり、その弾性により復元力があるため、ホルダによって挟まれた容器は、その復元力が釣り合うところまで移動される。
結果として、容器は毎回ほぼ一定位置に案内・保持されるので払い出されるメダルが確実に容器に収納される。
【００１２】
本発明は、前記ホルダが凹状の保持面の両端部に位置する矯正部、両矯正部並び前記保持面から外方及び上方へ向かって伸びる案内面を有することが好ましい。
この構成において、バッケット型の容器が取出口の方向に傾いて落下した場合、両サイドの矯正部が容器の側壁に当接する。
矯正部と接した容器は、その接点を支点に回動しつつ落下しするため、反対側の矯正部側に移動し、両ホルダの凹部に囲まれた保持部に水平になるよう案内される。
また、容器が左右に傾いて落下した場合、その底部と側壁とのコーナーが外方及び上方へ向かって伸びる案内面によって案内されるため、容器が保持部に水平になるよう案内される。
結果として、容器は、落下姿勢が傾いていたり、所定の位置からずれていても確実に所定の位置に案内保持される。
また、ホルダは矯正部及び案内面とも全て面で構成されるため、板状の端面が露出しないので、手、指を強く押し付けても怪我をしない利点がある。
【００１３】
本発明は、前記払出部が側壁の一面を解放して取出口を形成し、かつ、他の三側壁が壁面で囲まれたボックス状であり、前記取出口に続く両側壁にホルダ開口がそれぞれ開口され、前記ホルダ開口から払出部に向けてホルダがそれぞれ突出配置されていることが好ましい。
この構成において、払出部はボックス状であり、その左右側面のホルダ開口からホルダが払出部に突出している。
このため、払出部には板状の端部が位置しないので、手、指を強く押し付けても怪我をすることがない。
【００１４】
本発明は、さらに、払出部の容器の有無を検出する容器検出装置、前記容器検出装置の容器有り信号に基づいて前記メダル払出装置を起動する払出指示装置、前記メダル払出装置からの払い出し数をカウントするカウンタ、前記カウンタが所定量のメダルを検出したとき、払出装置の停止信号を出力する停止装置を有することが好ましい。
この構成により、払出部の所定位置に自動的に供給された容器を容器検出装置が検出し、その検出信号に基づいてメダル払出装置が起動されてメダルが容器に払いだされる。
払い出されたメダルが所定数になるとカウンタから停止信号が出力される。
この停止信号により、メダル払出装置が停止され、メダルの払出が停止される。結果として、容器の払出及びメダルの払出が全て自動で行われるため、利用者の利便性がよい。
【００１５】
【発明の実施の形態】
図１は、実施例のメダル貸出装置の概要図である。
図２は、実施例のメダル貸出装置に用いる容器供給装置の斜視図である。
図３は、実施例の容器ホルダの斜視図である。
図４は、実施例の容器ホルダの平面図である。
図５は、実施例の待機状態の容器ホルダの正面図である。
図６は、実施例のホールド状態の容器ホルダの正面図である。
図７は、実施例の制御ブロック図である。
図８は、実施例の作動説明用のフローチャートである。
【００１６】
図１において、メダル貸出装置１０は、その箱型の筐体１２内に紙幣識別受入装置１４、硬貨識別受入装置１６、メダル払出装置１８、メダル収納容器２０の容器供給装置２２、前記容器２０及びメダルの払出部２４、表示装置２６、操作ボード２８および制御装置３０を含んでいる。
【００１７】
紙幣識別受入装置１４は、受入口３２に挿入された紙幣の真偽を判別し、偽紙幣の場合返却し、真紙幣の場合、紙幣の金種を制御装置３０に出力すると共に収納部（図示せず）に収納する。
硬貨識別受入装置１６は、投入口３４に投入された硬貨の真偽を判別し、偽硬貨の場合返却し、真硬貨の場合硬貨の金種を制御装置３０に出力すると共に収納部（図示せず）に収納する。
【００１８】
貨幣の受入装置として、金額情報を記憶している磁気カードやＩＣカードの読み込み書き込み装置を用いることができる。
また、前記貨幣の受け入れ装置を適宜組み合わせて装着してもよい。
メダル払出装置１８は、払出信号に基づいてメダルを一つずつ区分けして払い出す機能を有している。
メダル払出装置１８は、例えば実用新案登録第２５３８５３１号に開示された所謂コインホッパーが使用される。
このコインホッパーは、払い出したメダルのカウントのためのセンサを有しているので好ましい。
また、メダルの払出を迅速に行うため、メダル払出装置を複数配置することができる。
【００１９】
容器供給装置２２は、供給信号に基づいてメダルを収納するバケット型のメダル収納容器２０を自動的に一つずつ払出部２４に供給する機能を有している。
このため、容器２０が積み重ねられた容器保留部３６と、その積み重ねられた最下の容器２０を区分けし、払出部２４へ落下させる分離部３８とを有する。
分離部３８は、図２に示すように、モータ３９からギヤ４２を介して回転される複数のカム４４の上面で容器２０の鍔４６の下面を水平に支え、螺旋状のカムで最下の容器２０の鍔４６の上面を押し下げることにより、バケット型の側壁の外周面と内周面との間の摩擦力により保持されている最下の容器２０を分離し、自由落下させる。
【００２０】
払出部２４において、容器供給装置２２から供給された容器２０が所定位置に保持され、メダル払出装置１８から払い出されたメダルがその容器２０に供給される。
払出部２４は、取出口である前面開口４６と上面開口４８を有し、左側壁５０、右側壁５２及び後側壁５４によって囲われ、かつ、底壁５６を有するボックス５８である。
分離部３８の直下に上面開口４８が位置し、前面開口４６はメダル貸出装置１０の前面に位置している。
【００２１】
底壁５６は、前面開口４６側が低い下底壁５６Ｌと、後側壁５４側が高い上底壁５６Ｕとよりなる段付き底になっている。
これにより、後述のホルダによって所定位置に保持された容器２０の前面開口４６側の底と下底壁５６Ｌとの間に指一本以上の隙間が形成され、容器２０を取り出す場合、親指を鍔４６にかけ、その他の指を容器２０の底にあてがって引き出すことができる。
図４に示すように、左右側壁５０、５２の上下方向の中間及び前後方向においてやや後ろ側に矩形状の左ホルダ開口６０及び右ホルダ開口６２が形成されている。
これら左右ホルダ開口６０及び６２に対応して左ホルダ装置６４、右ホルダ装置６６が配置されている。
【００２２】
左ホルダ装置６４と右ホルダ装置６６は、対象に構成されているので、主に左ホルダ装置６４を参照して説明し、右ホルダ装置６４の対応部品には同一数字にＲを付して説明を省略する。
左ホルダ装置６４は、ホルダ６８Ｌ、ベース７０Ｌ、付勢装置７２Ｌ及び位置調整装置７４Ｌを含んでいる。
図４に示すように、ホルダ６８Ｌは、水平方向に所定の間隔で配置した矯正部７６Ｌ、７８Ｌ、両矯正部間を外方に向かって膨らむ円弧で結んだ凹状の保持面８０Ｌ、それら矯正部７６Ｌ、保持面８０Ｌ及び矯正部７８Ｌから上方及び外方に向かって伸びる案内面８２Ｌとを有し、それらは滑らかな曲面で結ばれ、図３に示すように上下方向に伸びる凹部８４Ｌを有する凸部８６Ｌである。
なお、外方及び上下方向は、払出部２４を構成するボックス５８の中央部に対する相対的な位置である。
【００２３】
したがって、ホルダ６８Ｌは、樹脂によって一体成型するのがよい。
矯正部７６Ｌと７８Ｌの間隔は、容器２０を所定位置に保持している状態において、容器２０の周長の約６分の１程度がよい。
この場合、容器２０を外側から囲う量が少なく、容器２０を取り出す際の邪魔にならないと共に、ホルダ６８Ｌ及び６８Ｒの移動量が小さいため、付勢装置７２Ｌ、７２Ｒの押力に基づく取り出し抵抗が小さいため、容器２０の取り出しが容易である。
凸部８６Ｌの周囲のフランジ８８Ｌは、垂直方向に伸びる矩形状のベース７０Ｌに固定してある。
【００２４】
ベース７０Ｌは左ホルダ開口６０よりも大きく、左側壁５０に固定したブラケット９０Ｌに固定した水平のシャフト９２Ｌにその上端部がピボット可能に取り付けられ、シャフト９２Ｌに巻き付けた付勢装置７２Ｌであるスプリングにより凸部８６Ｌが払出部２４に突出するよう付勢されている。
次に位置調整装置７４Ｌを説明する。
ベース７０Ｌの下端部中央に調整スクリュウ９４Ｌがねじ込まれ、ロックナット９６Ｌによりロックされている。
【００２５】
したがって、通常、ベース７０Ｌは付勢装置７２Ｌによって図５において反時計方向に付勢され、調整スクリュウ９４Ｌの先端が左側壁５０に係止されることにより、待機位置（図５における実線位置）に位置している。
この状態において、左ホルダ開口６０は凸部８６Ｌがそのほとんどを占めており、
凸部８６Ｌと左ホルダ開口６０の隙間は、幼児の指よりも狭く設定されているので、幼児がその隙間に指を挿入することができない。
調整スクリュウ９４Ｌのねじ込み量を変更することにより、ホルダ６８Ｌの待機位置を調整できる。
左右ホルダ６８Ｌ、６８Ｒの待機位置は、容器２０の底２０Ｂが上底壁５６Ｕと接したとき、１ミリ程度移動するよう設定する。
【００２６】
換言すれば、上底壁５６Ｕに支持される直前にホルダ６８Ｌ、６８Ｒに容器２０が支えられるため、ホルダ６８Ｌ、６８Ｒが弾性的に移動することにより、その落下速度が減速され、上底壁５６Ｕに衝突した際の衝撃が緩和される。
右側壁５２の右ホルダ装置６６の上方に矩形の開口９６が形成され、メダルシュート９８が挿入されている。
【００２７】
メダル払出装置１８から払い出されたメダルは、このメダルシュート９８に投げ出された後、このメダルシュート９８を滑落して払出部２４の容器２０内に供給される。
しかし、メダル払出装置１８からダイレクトに払出部２４の容器２０内に投出してもよい。
左側壁５０の下部に投光器１００、右側壁５２に受光器１０２が固定され、払出部２４における容器２０の有無を検出する容器検出装置１０４を構成している。
このように、払出部２４の下部に検出装置１０４を配置することにより、容器２０が斜めに落下してその底２０Ｂが上底壁５６Ｕに接していない場合、容器２０の供給異常として検出できる利点がある。
【００２８】
この容器検出装置１０４は、容器２０の有無を検出する機能を有していれば、光電式、機械式、音波式等何れの方式でもよい。
カウンタ１０６は、払出部２４の容器２０内のメダル量を検出する機能を有している。
【００２９】
実施例のカウンタ１０６は、メダル払出装置１８からメダルシュート９８へ一つずつ払い出されるメダルを光学的に検出してカウンタ（制御装置３０内のソフトウエアカウンタ）によってカウントする間接方式である。
このカウントは、メダル払出装置１８が払い出されたメダルに基づいて信号を出力するセンサを備えている場合、そのセンサからの信号をカウント（ソフトカウンタ）することによって行われる。
【００３０】
表示装置２６は、利用者に対する各種メッセージを表示する機能を有し、液晶表示装置、ＣＲＴ、蛍光表示管、プラズマディスプレイ等のドット表示装置等公知の表示装置である。
操作ボード２８は、利用者が貨幣からメダルに両替する際、各種処理を開始させるゲイン機能を有している。
例えば、紙幣識別受入装置１４および硬貨識別受入装置１６に投入した貨幣によって両替を行うかどうか決定するための金額決定ボタン１０８である。
したがって、金額決定ボタン１０８は、購入可能な金額の数設定する。
例えば、１０００円、２０００円、３０００円、５０００円の金額決定ボタンが設定される。
しかし、操作ボード２８は、キーボードやタッチパネル等を用いることができる。
【００３１】
制御装置３０は、紙幣識別受入装置１４、硬貨識別受入識別装置１６、操作ボード２８、容器検出装置１０４及びカウンタ１０６から信号を入力して所定の演算を行い、メダル払出装置１８、容器供給装置２２及び表示装置２６に所定の処理を行わせる。
【００３２】
制御装置３０は、マイクロプロセッサである。
次に、制御装置３０を図７のブロック図を参照して説明する。
制御装置３０は、少なくとも停止装置１１０と払出指示装置１１２を含んでいる。
本実施例の停止装置１１０は、ソフトウエアで構成されている。
【００３３】
停止装置１１０は、カウンタ１０６からカウント信号を入力し、所定のカウント値になった場合、メダル払出装置１８に払出停止信号Ｓを出力する。
メダル払出装置１８は、この払出停止信号Ｓを受信した場合、メダルの払出を停止する。
また、停止装置１１０は、除去信号Ｄを出力し、表示装置２６に払出部２４においてフル状態にある容器２０の取り出しを促す表示を行わせる。
【００３４】
払出指示装置１１２は、容器検出装置１０４から払出部２４における容器２０の無し信号Ｎを受信した場合、最初に容器供給装置２２を作動させて容器２０を払出部２４に一個供給する。
次いでメダル払出装置１８を作動させてメダルを払出部２４の容器２０に払い出す。
【００３５】
次に本実施例の作用を図８のフローチャートも参照して説明する。
稼動に先立ち、受入金額に対するメダル数が制御装置３０において設定される。
例えば、１０００円で１００枚、２０００円で２００枚、３０００円で３５０枚、５０００円で８００枚である。
また、容器２０のフル値が３００枚に設定される。
【００３６】
メダルへの両替に先だって、紙幣識別受入装置１４および／または硬貨識別受入装置１６に貨幣が投入され、受入金額が表示装置２６に表示される。
利用者は、購入希望の金額決定ボタン１０８を押す。
購入金額よりも受入金額が多い場合、差額を釣り銭払出口（図示せず）に払い出す。
【００３７】
金額決定ボタン１０８が押された場合、ステップＳ１において、両替信号ありと判断され、ステップＳ２に進む。
ステップＳ２において、金額決定ボタン１０８が１０００円の場合、メダルの払出枚数が１００枚に設定される。
【００３８】
次いで、ステップＳ３に進み、容器供給装置２２を作動させて容器保留部３６の最下の容器２０を払出部２４に供給する。
すなわち、最下の容器２０のみが分離部３８によって落下されるので、落下した容器２０は、ホルダ６８Ｌ及び６８Ｒによって落下速度を減速され、かつ、案内されて払出部２４の所定位置に落下する。
換言すれば、モータ３９の回転によってギヤ４２を介して複数のカム４６が回転される。
【００３９】
これにより、その周面に形成されたカム面によって最下の容器２０の鍔４６の上面が下方へ押し下げられるため、最下の容器２０が垂直下方へ落下する。
容器２０が落下する場合、その姿勢は一様ではなく、各状況において様々に傾いたり位置ズレして落下する。
例えば、容器２０が垂直にホルダ６８Ｌと６８Ｒとの中央に落下した場合、容器２０の側壁２０Ｓが保持面８０Ｌ及び８０Ｒに接触した直後にその底２０Ｂが上底壁５６Ｕに支えられる。
【００４０】
ホルダ６８Ｌ及び６８Ｒは、側壁２０Ｓにより、図５の位置から図６の位置へ押される。
換言すれば、図５において、べース７０Ｌは時計方向へ付勢装置７２Ｌの付勢力に抗して回動され、ベース７０Ｒは反時計方向へ付勢装置７２Ｒの付勢力に抗して回動される。
したがって、容器２０の側壁２０Ｓは付勢装置７２Ｌ及び７２Ｒの押力に抗し、かつ、保持面８０Ｌ及び８０Ｒと摩擦しつつ落下するので、その落下速度が大幅に減速される。
【００４１】
結果として、容器２０の底２０Ｂが上底壁５６Ｕに衝突した際の衝撃は小さく、落下した際の跳ね上がり力は小さい。
また、容器２０はホルダ６８Ｌ及び６８Ｒによって挟み込まれているので、容器２０が跳ね上がろうとしても側壁２０Ｓ及び保持面８０Ｌ並びに８０Ｒとの摩擦により跳ね上がることができずに落下した位置を保持される。
また、容器２０が図４に一点鎖線で示すように前面開口４６側にずれて落下した場合、前面開口４６側の側壁２０Ｓが矯正部７８Ｌ及び７８Ｒよりも前面開口４６側の案内面８２Ｌ、８２Ｒ、保持面８０Ｌ及び８０Ｒに同時或いは時間遅れを持って接触する。
これにより、容器２０は後側壁５４に押し出されつつ落下する。
【００４２】
換言すれば、容器２０の位置は保持面８０Ｌ及び８０Ｒで保持された際のほぼ中央の上底壁５６Ｕに着座する。
この落下途中に、前述同様ホルダ６８Ｌ及び６８Ｒは容器２０によって左右に押されるので、その落下速度は前述同様減速される。
結果として、容器２０は上底壁５６Ｕから実質的に跳ね上がることなく所定の位置に保持される。
着座したときに容器２０が未だ取出口４６側に位置ズレしている場合、容器２０は付勢装置７２Ｌ及び７２Ｒに基づくホルダ６８Ｌ及び６８Ｒの押力によって保持面８０Ｌ及び８０Ｒの凹面から後側壁５４に向かう押力を受け、保持面８０Ｌ及び８０Ｒから均等に押力を受ける位置に移動することもある、
【００４３】
容器２０が後側壁５４側にずれて落下した場合、容器２０は前述と逆方向に押されつつ落下し、跳ね上がることなく所定の位置に保持される。
容器２０が図４に破線で示すように、前後方向に大きく傾いて落下する場合、側壁２０Ｓは矯正部７８Ｌ及び７８Ｒに接触し、それら矯正部７８Ｌ及び７８Ｒとの接点を支点に垂直になるように回動し、かつ、後側壁５４側へ押し出されつつ落下し、上底壁５６Ｕに着座する。
結果として、容器２０は上底壁５６Ｕから実質的に跳ね上がることなく所定の位置に保持される。
【００４４】
容器２０が前述と逆方向に大きく傾いて落下した場合、前述と逆に案内されて容器２０は上底壁５６Ｕから実質的に跳ね上がることなく所定の位置に保持される。
容器２０が図５において一点鎖線で示すように左方向に傾いて落下した場合、その底２０Ｂと側壁２０Ｓのコーナーは案内面８２Ｒに接触し、その傾斜面によって反対側のホルダ６８Ｌ側に案内されつつ落下する。
さらに、側壁２０Ｓが案内面８２Ｒによってホルダ６８Ｌ側へ押され、かつ、矯正部７８Ｌ、７８Ｒ及び７６Ｌ、７６Ｒによってその前後方向の位置を所定位置に保持されつつ落下する。
【００４５】
この途上で容器２０の側壁２０Ｓは、ホルダ６８Ｌの保持面８０Ｌにも接触して案内されつつ上底壁５６Ｕに着座する。
同時に、容器２０は、ホルダ６８Ｌ及び６８Ｒを外側へ押しやるので、それにより落下速度が減速される。
結果として、容器２０は上底壁５６Ｕから実質的に跳ね上がることなく所定の位置に保持される。
【００４６】
容器２０が前述と逆方向に傾いて落下した場合、前述と逆に案内されて上底壁５６Ｕから実質的に跳ね上がることなく所定の位置に保持される。
また、容器２０が前後及び左右に傾いて落下する場合、前記説明した前後及び左右のホルダ６８Ｌ及び６８Ｒによるガイド機能と緩衝機能により上底壁５６Ｕから実質的に跳ね上がることなく所定の位置に保持される。
【００４７】
次にステップＳ４に進み、容器検出装置１０４からの容器２０の存在信号を判定する。容器存在信号が無い場合、ステップＳ５に進み、容器供給装置２２の作動から所定時間経過したか判断する。
ステップＳ５において、所定時間経過した場合、換言すれば容器供給装置２２が作動した後所定時間経過しても容器２０が払出部２４に存在しない場合、表示装置２６にエラー表示をし、全ての処理を中断する異常処理を行って待機状態になる。
【００４８】
ステップＳ４において容器２０が存在する場合、ステップＳ６に進みメダル払出装置１８を作動させる。
これにより、メダル払出装置１８は、メダルを一個ずつ区分けしてメダルシュート９８に払い出す。
【００４９】
メダルシュート９８に落下したメダルは、メダルシュート９８を滑落して払出部２４の容器２０内に落下する。
このメダルの払出と並行してメダル払出装置１８から払出されるメダルをカウンタ１０６で検出してカウントし、間接的に容器２０内のメダル収納量を検出する。
【００５０】
次にステップＳ７において、前記カウント値がフル値の３００と比較される。
払出メダル１００枚の場合、当然３００以下であるので、ステップＳ８に進む。
ステップＳ８において、ステップＳ２で設定された払出数１００と比較される。
設定数に満たない場合、ステップＳ７に戻り、払出を継続する。
ステップＳ８において、カウントが設定数の１００と一致したとき、ステップＳ９に進み、メダル払出装置１８を停止し、払出処理が終了する。
このメダル払出装置１８の停止と共に表示装置２６に払出終了表示を行うことが好ましい。
【００５１】
次に、３０００円の金額決定ボタン１０８が押されたケースを説明する。
前記説明と同様に、ステップＳ２において、払出枚数が３５０枚に設定される。
したがって、払出が行われてカウンタ１０６のカウント値がフル値である３００になった場合、停止装置１１０が払出停止信号Ｓと除去信号Ｄを出力し、ステップＳ７からステップＳ１０に進む。
ステップＳ１０において、この払出停止信号Ｓに基づいてメダル払出装置１８が停止され、メダルの払出が中断される。
【００５２】
次にステップＳ１１において、除去信号Ｄに基づいて表示装置２６に容器２０の払出部２４からの取り出しを促す表示を行う。
この取り出しを促す表示に代えて、もしくは並行して、音声で取り出しを促す指示を行うようにしても良い。
また、容器２０の自動取出装置を別に設置して自動的にフル状態の容器２０を取り出すようにしてもよい。
【００５３】
次にステップＳ１２において、容器検出装置１０４からの信号に基づいて払出部２４における容器２０の有無を判断する。
換言すれば、容器検出装置１０４からの容器無し信号Ｎによってフル容器２０が取り出されたことを判断する。
ステップＳ１２において、容器２０が存在する場合、ステップＳ１３に進み、所定時間経過したか判定される。
【００５４】
ステップＳ１３において所定時間経過した場合、異常であると判断して前述のように表示装置２６にエラー表示をし、異常処理を行う。
ステップＳ１２において容器２０が無い場合、無し信号Ｎに基づいてステップＳ１４に進み、表示装置２６における容器２０の取り出しを促す表示を終了する。
【００５５】
次にステップＳ１５に進み、設定された払出枚数３５０から既に払い出した３００枚を減算した５０枚が払出枚数として新たに設定される。
次に、ステップＳ３に戻り、容器供給装置２２を作動させて新たな容器２０を払出部２４に供給する。
この場合、前述したように容器２０の姿勢が傾いたり、位置がずれていてもホルダ６８Ｌ及び６８Ｒによって所定の位置に案内され、保持される。
その後、ステップＳ４において容器２０の存在を判別した後、ステップＳ６においてメダル払出装置１８を作動させて残りの５０枚を払い出す。
ステップＳ８において、５０枚が払出された場合、ステップＳ９に進み、メダル払出装置１８を停止させてメダルの払出処理を終了する。
【００５６】
５０００円の金額決定ボタン１０８が押され、払出枚数が８００に設定された場合、ステップＳ１０からＳ１５の処理が２回行われる。
すなわち、メダルの払出枚数が３００枚を超える毎にステップＳ１０からＳ１５の処理が１回行われる。
２回目のステップＳ１５において、残りの払出枚数が２００に設定されるので、ステップＳ８においてカウント数が２００と一致した場合ステップＳ９に進み、メダル払出装置１８を停止し、払出処理が終了する。
【００５７】
本実施例において、メダル払出装置１８を停止させるステップＳ９、Ｓ１０が停止装置１１０に相当する。
また、ステップＳ３が払出指示装置１１２に相当する。
これら停止装置１１０および払出指示装置１１２は、ロジック装置によって構成することができる。
【００５８】
上記実施例のように、カウンタ１０６をメダル払出装置１８から払い出されるメダルのカウンタで構成した場合、容器２０のフル値をデジタルできめ細かに設定できるので、いたずらに容器の取り出し処理を増加することがないと共に毎回同一数のメダルを容器に収納することができる。
【００５９】
【発明の効果】
本発明は、一対のホルダによって落下する容器は減速され、毎回ほぼ一定位置に案内・保持されるので、払い出されるメダルが確実に容器に収納される効果がある。
また、容器は、落下姿勢が傾いていても確実に所定の位置に案内保持される。
さらに、ホルダは矯正部と案内面の全てが面で構成されるため、板状の端面が露出しないので、利用者が怪我をしない利点がある。
【００６０】
【図面の簡単な説明】
【図１】図１は、実施例のメダル貸出装置の概要図である。
【図２】図２は、実施例のメダル貸出装置に用いる容器供給装置の斜視図である。
【図３】図３は、実施例の容器ホルダの斜視図である。
【図４】図４は、実施例の容器ホルダの平面図である。
【図５】図５は、実施例の待機状態の容器ホルダの正面図である。
【図６】図６は、実施例のホールド状態の容器ホルダの正面図である。
【図７】図７は、実施例の制御ブロック図である。
【図８】図８は、実施例の作動説明用のフローチャートである。
【符号の説明】
１８  メダル払出装置
２０  容器
２２  容器供給装置
２４  払出部
４６  取出口
５０、５４、５２  側壁
６０、６２  ホルダ開口
６８Ｌ、６８Ｒ  ホルダ
７６Ｌ、７６Ｒ、７８Ｌ、７８Ｒ  矯正部
８０Ｌ、８０Ｒ保持面
８２Ｌ、８２Ｒ  案内面
１０４  容器検出装置
１０６  カウンタ
１１０  停止装置
１１２  払出指示装置
Ｎ  容器有り信号
Ｓ  停止信号
【図１】
2004329509.tif 000003
【図２】
2004329509.tif 000004
【図３】
2004329509.tif 000005
【図４】
2004329509.tif 000006
【図５】
2004329509.tif 000007
【図６】
2004329509.tif 000008
【図７】
2004329509.tif 000009
【図８】
2004329509.tif 000010